(57)【特許請求の範囲】
【請求項１】
コミュニケーション中において、第１のモバイルデバイスに対するシングルステップ操作が含まれる第１のユーザ操作をセンシングすることで、前記第１のユーザ操作に対応する付加コマンド情報を取得することと、
第２のモバイルデバイスが前記付加コマンド情報を識別して、前記第１のユーザ操作を前記第２のモバイルデバイスを使用する第２のユーザに通知するように、前記付加コマンド情報を第２のモバイルデバイスに送信することと、を含み、
第２のモバイルデバイスへの前記付加コマンド情報の送信は、
予め格納された第１の付加コマンド情報と、前記コミュニケーションにおけるコミュニケーション情報コードと一致しない付加コマンド情報コードとの対応関係を照会することにより、前記付加コマンド情報に対応する付加コマンド情報コードを取得することと、
前記付加コマンド情報コードを前記第２のモバイルデバイスに送信することと、を含むことを特徴とするモバイルデバイスのコミュニケーション方法。
【請求項２】
予め格納された第１の付加コマンド情報と付加コマンド情報コードとの対応関係を照会することによる前記付加コマンド情報に対応する付加コマンド情報コードの取得は、
ローカルで予め格納された第１の付加コマンド情報と付加コマンド情報コードとの対応関係を照会することにより、前記付加コマンド情報に対応する付加コマンド情報コードを取得すること、又は、
第１のサーバに、予め格納された第１の付加コマンド情報と付加コマンド情報コードとの対応関係を照会することにより、前記付加コマンド情報に対応する付加コマンド情報コードを取得すること
を含むことを特徴とする請求項１に記載のモバイルデバイスのコミュニケーション方法。
【請求項３】
前記付加コマンド情報を第２のモバイルデバイスに送信した後、さらに、
前記第２のモバイルデバイスが、前記付加コマンド情報コードを受信することと、
前記第２のモバイルデバイスが、予め格納された第２の付加コマンド情報と付加コマンド情報コードとの対応関係を照会することにより前記付加コマンド情報コードに対応する付加コマンド情報を取得することと、
前記第２のモバイルデバイスが、前記付加コマンド情報コードに対応する付加コマンド情報を識別して、前記第１のユーザ操作を第２のモバイルデバイスを使用する第２のユーザに通知することと、
を含むことを特徴とする請求項１又は請求項２に記載のモバイルデバイスのコミュニケーション方法。
【請求項４】
前記第２のモバイルデバイスの、予め格納された第２の付加コマンド情報と付加コマンド情報コートとの対応関係を照会することによる前記付加コマンド情報コードに対応する付加コマンド情報の取得は、
第２のデバイスが、ローカルで予め格納された第２の付加コマンド情報と付加コマンド情報コードとの対応関係を照会することにより、前記付加コマンド情報コードに対応する付加コマンド情報を取得すること、又は、
前記第２のデバイスが、第２のサーバに予め格納された第２の付加コマンド情報と付加コマンド情報コードとの対応関係を照会することにより、前記付加コマンド情報コードに対応する付加コマンド情報を取得すること
を含むことを特徴とする請求項３に記載のモバイルデバイスのコミュニケーション方法。
【請求項５】
第１のモバイルデバイスに対するシングルステップ操作は、
前記第１のモバイルデバイスのスクリーンに対するシングルステップ操作、又は、
前記第１のモバイルデバイスの本体に対するシングルステップ操作
を含むことを特徴とする請求項１〜請求項４のいずれか１項に記載のモバイルデバイスのコミュニケーション方法。
【請求項６】
コミュニケーション中において、第１のモバイルデバイスに対するシングルステップ操作が含まれる第１のユーザ操作をセンシングすることで、前記第１のユーザ操作に対応する付加コマンド情報を取得するための取得モジュールと、
前記取得モジュールが前記第１のユーザ操作に対応する付加コマンド情報を取得した後、第２のモバイルデバイスが前記付加コマンド情報を識別して、前記第１のユーザ操作を前記第２のモバイルデバイスを使用する第２のユーザに通知するように、前記付加コマンド情報を第２のモバイルデバイスに送信するための送信モジュールと、を含み、
前記送信モジュールは、
前記取得モジュールが前記第１のユーザ操作に対応する付加コマンド情報を取得した後、予め格納された第１の付加コマンド情報と、前記コミュニケーション中のコミュニケーション情報コードと一致しない付加コマンド情報との対応関係を照合して、前記付加コマンド情報に対応する付加コマンド情報コードを取得するための第１の照合ユニットと、
前記第１の照合ユニットが前記付加コマンド情報に対応する付加コマンド情報コードを取得した後、前記第２のモバイルデバイスが前記付加コマンド情報コードを受信し、予め格納された第２の付加コマンド情報と付加コマンド情報コードとの対応関係を照合して、前記付加コマンド情報コードに対応する付加コマンド情報を取得し、前記付加コマンド情報コードに対応する付加コマンド情報を識別して、前記第１のユーザ操作を前記第２のモバイルデバイスを使用する第２のユーザに通知するように、前記付加コマンド情報コードを前記第２のモバイルデバイスに送信するための送信ユニットと、を含むことを特徴とするモバイルデバイスのコミュニケーション装置。
【請求項７】
前記第１の照合ユニットは、具体的に、
ローカルで予め格納された第１の付加コマンド情報と付加コマンド情報コードとの対応関係を照合して、前記付加コマンド情報に対応する付加コマンド情報コードを取得する、
又は、
第１のサーバに予め格納された第１の付加コマンド情報と付加コマンド情報コードとの対応関係を照合して、前記付加コマンド情報に対応する付加コマンド情報コードを取得するためのものであることを特徴とする請求項６に記載のモバイルデバイスのコミュニケーション装置。
【請求項８】
第１のモバイルデバイスに対するシングルステップ操作は、
第１のモバイルデバイスのスクリーンに対するシングルステップ操作、又は、
第１のモバイルデバイス本体に対するシングルステップ操作
を含むことを特徴とする請求項６又は請求項７に記載のモバイルデバイスのコミュニケーション装置。
【請求項９】
コミュニケーション中において、第１のモバイルデバイスに対するシングルステップ操作が含まれる第１のユーザ操作をセンシングして、前記第１のユーザ操作に対応する付加コマンド情報を取得し、取得モジュールが前記第１のユーザ操作に対応する付加コマンド情報を取得した後、前記付加コマンド情報を第２のモバイルデバイスに送信する第１のモバイルデバイスと、
送信モジュールから送信された前記付加コマンド情報を受信し、前記付加コマンド情報を識別して、前記第１のユーザ操作を、第２のモバイルデバイスを使用する第２のユーザに通知する第２のモバイルデバイスと、を含み、
第１のデバイスによる前記付加コマンド情報の第２のモバイルデバイスへの送信は、
予め格納された第１の付加コマンド情報と、前記コミュニケーション中のコミュニケーション情報コードと一致しない付加コマンド情報コードとの対応関係を照合して、前記付加コマンド情報に対応する付加コマンド情報コードを取得することと、
前記付加コマンド情報コードを前記第２のモバイルデバイスに送信することと、を含むことを特徴とするモバイルデバイスのコミュニケーションシステム。
【請求項１０】
前記第１のデバイスの、予め格納された第１の付加コマンド情報と付加コマンド情報コードとの対応関係を照合することによる前記付加コマンド情報に対応する付加コマンド情報コードの取得は、
ローカルで予め格納された第１の付加コマンド情報と付加コマンド情報コードとの対応関係を照合して、前記付加コマンド情報に対応する付加コマンド情報コードを取得すること、又は、
第１のサーバに予め格納された第１の付加コマンド情報と付加コマンド情報コードとの対応関係を照合して、前記付加コマンド情報に対応する付加コマンド情報コードを取得すること
を含むことを特徴とする請求項９に記載のモバイルデバイスのコミュニケーションシステム。
【請求項１１】
前記第２のモバイルデバイスが、前記送信モジュールから送信された前記付加コマンド情報を受信し、前記付加コマンド情報を識別して、前記第１のユーザ操作を前記第２のモバイルデバイスを使用する第２のユーザに通知することは、
送信ユニットから送信された前記付加コマンド情報コードを受信することと、
予め格納された第２の付加コマンド情報と前記付加コマンド情報コードとの対応関係を照合して、前記付加コマンド情報コードに対応する付加コマンド情報を取得することと、
前記付加コマンド情報コードに対応する付加コマンド情報を識別して、前記第１のユーザ操作を、第２のモバイルデバイスを使用する第２のユーザに通知することと、
を含むことを特徴とする請求項９又は請求項１０に記載のモバイルデバイスのコミュニケーションシステム。
【請求項１２】
前記第２のモバイルデバイスの、予め格納された第２の付加コマンド情報と付加コマンド情報コードとの対応関係を照合することによる前記付加コマンド情報コードに対応する付加コマンド情報の取得は、
前記第２のデバイスが、ローカルで予め格納された第２の付加コマンド情報と付加コマンド情報コードとの対応関係を照合して、前記付加コマンド情報コードに対応する付加コマンド情報を取得すること、又は、
前記第２のデバイスが、第２のサーバに予め格納された第２の付加コマンド情報と付加コマンド情報コードとの対応関係を照合して、前記付加コマンド情報コードに対応する付加コマンド情報を取得すること
を含むことを特徴とする請求項１１に記載のモバイルデバイスのコミュニケーションシステム。
【発明の詳細な説明】
【関連出願の相互参照】
【０００１】
本出願は、２０１２年６月２０日に中国国家知識財産権局に提出された中国特許出願番号２０１２１０２０５２２４７、発明の名称「モバイルデバイスのコミュニケーション方法、装置及びコミュニケーションシステム」の優先権を主張し、当該出願の内容は援用によりここに組み込まれるものとする。
【技術分野】
【０００２】
本発明は、通信技術分野に関し、特に、モバイルデバイスのコミュニケーション方法、装置及びコミュニケーションシステムに関する。
【背景技術】
【０００３】
通信技術の発展に伴い、携帯電話、タブレットなどのモバイルデバイスの機能がより多くなって来たため、ユーザは、モバイルデバイスで電話番号をダイヤルし、音声コミュニケーションを行って、ショートメッセージを送信して文字コミュニケーションを行うだけでなく、モバイルデバイスでのチャットツールなどにより文字、ピクチャ、エモーティコンなどのコミュニケーションを行うこともできる。現在、モバイルデバイスによりコミュニケーションを行う場合、文字通信を実現したければ、まず、入力方法を開いてピンイン（ｐｉｎｙｉｎ）などを入力して、ピンインなどに対応する文字を取得し、次に、その中から必要な文字を選択して入力する必要があり、エモーティコン通信を実現したければ、先に予め格納されたエモーティコンセットを開いて、その中から対応するエモーティコンを選択して入力する必要がある。
【０００４】
しかしながら、本発明を実現する中において、発明者は、従来技術の少なくとも以下の課題の存在に気づいていた。
【０００５】
従来、モバイスデバイスによるコミュニケーションの場合、文字、ピクチャ、エモーティコンなどのコミュニケーションを実現しようとする場合、ユーザは開く、選択、入力などのマルチステップ操作を行う必要があり、モバイルデバイスのコミュニケーション操作が煩雑であり、モバイルデバイスのコミュニケーションの効率が低い。
【発明の概要】
【発明が解決しようとする課題】
【０００６】
モバイルデバイスのコミュニケーションの効率を向上させるために、本発明の実施例では、モバイルデバイスのコミュニケーション方法、装置及びコミュニケーションシステムを提供する。当該技術案は、以下の通りである。
【課題を解決するための手段】
【０００７】
コミュニケーション中において、音声制御操作及び第１のモバイルデバイスに対するシングルステップ操作のうちの少なくとも１つが含まれる第１のユーザ操作をセンシングすることで、前記第１のユーザ操作に対応する付加コマンド情報を取得することと、
前記第２のモバイルデバイスが前記付加コマンド情報を識別して、前記第１のユーザ操作を前記第２のモバイルデバイスを使用する第２のユーザに通知するように、前記付加コマンド情報を第２のモバイルデバイスに送信することと、
を含むモバイルデバイスのコミュニケーション方法。
【０００８】
コミュニケーション中において、音声制御操作及び第１のモバイルデバイスに対するシングルステップ操作のうちの少なくとも１つが含まれる第１のユーザ操作をセンシングすることで、前記第１のユーザ操作に対応する付加コマンド情報を取得するための取得モジュールと、
前記取得モジュールが前記第１のユーザ操作に対応する付加コマンド情報を取得した後、前記第２のモバイルデバイスが前記付加コマンド情報を識別して、前記第１のユーザ操作を前記第２のモバイルデバイスを使用する第２のユーザに通知するように、前記付加コマンド情報を第２のモバイルデバイスに送信するための送信モジュールと、
を含むことを特徴とするモバイルデバイスのコミュニケーション装置。
【０００９】
第１のモバイルデバイスと第２のモバイルデバイスとを備えるモバイルデバイスのコミュニケーションシステムであって、
前記第１のモバイルデバイスは、
コミュニケーション中において、音声制御操作及び第１のモバイルデバイスに対するシングルステップ操作のうちの少なくとも１つが含まれる第１のユーザ操作をセンシングすることで、前記第１のユーザ操作に対応する付加コマンド情報を取得するための取得モジュールと、
前記取得モジュールが前記第１のユーザ操作に対応する付加コマンド情報を取得した後、前記付加コマンド情報を第２のモバイルデバイスに送信するための送信モジュールと、
を備え、
前記第２のモバイルデバイスは、
前記送信モジュールから送信された前記付加コマンド情報を受信し、前記付加コマンド情報を識別して、前記第１のユーザ操作を、第２のモバイルデバイスを使用する第２のユーザに通知する処理モジュールを備える。
本発明の実施例に係る技術案による有益な効果は以下のとおりである。
【００１０】
コミュニケーション中において、第１のユーザ操作をセンシングすることで、第１のユーザ操作に対応する付加コマンド情報を取得し、付加コマンド情報を第２のモバイルデバイスに送信することにより、モバイルデバイスに対して音声制御操作又はシングルステップ操作を行うだけで、付加コマンド情報を取得することができ、ユーザが開く、選択、入力などをすることなく、操作が簡単で、モバイルデバイスのコミュニケーションの効率を向上させることができる。
【図面の簡単な説明】
【００１１】
本発明の実施例における技術案をより明らかに説明するために、以下、実施例を説明するのに用いられる図面を簡単に説明する。明らかに、以下の説明における図面は、本発明のいくつかの実施例のみであるが、創造的な労力を使わない前提で、これらの図面に基づいて他の図面を取得することができるのは、当業者にとって自明である。
【００１２】
【図１】本発明の実施例１に係るモバイルデバイスのコミュニケーション方法のフローチャートである。
【図２】本発明の実施例２に係るモバイルデバイスのコミュニケーション方法のフローチャートである。
【図３】本発明の実施例３に係るモバイルデバイスのコミュニケーション装置の構成を示す図である。
【図４】本発明の実施例４に係るモバイルデバイスのコミュニケーションシステムの構成を示す図である。
【発明を実施するための形態】
【００１３】
本発明の目的、技術案及びメリットをより明確にするために、以下、図面を参照しながら本発明の実施例をさらに詳しく説明する。
【００１４】
実施例１
図１を参照すると、本発明の実施例に係るモバイルデバイスのコミュニケーション方法は、
コミュニケーション中において、音声制御操作及び第１のモバイルデバイスに対するシングルステップ操作のうちの少なくとも１つが含まれる第１のユーザ操作をセンシングすることで、第１のユーザ操作に対応する付加コマンド情報を取得するステップ１０１と、
第２のモバイルデバイスが付加コマンド情報を識別して、第１のユーザ操作を第２のモバイルデバイスを使用する第２のユーザに通知するように、付加コマンド情報を第２のモバイルデバイスに送信するステップ１０２とを含む。
【００１５】
さらに、付加コマンド情報を第２のモバイルデバイスに送信することは、
予め格納された第１の付加コマンド情報と付加コマンド情報コードとの対応関係を照合して、付加コマンド情報に対応する付加コマンド情報コードを取得し、
付加コマンド情報コードを第２のモバイルデバイスに送信することを含む。
【００１６】
それに応じて、第２のモバイルデバイスが付加コマンド情報を識別して、第１のユーザ操作を、第２のモバイルデバイスを使用する第２のユーザに通知することは、
第２のモバイルデバイスが付加コマンド情報コードを受信し、
第２のモバイルデバイスが、予め格納された第２の付加コマンド情報と付加コマンド情報コードとの対応関係を照合して、付加コマンド情報コードに対応する付加コマンド情報を取得し、
第２のモバイルデバイスが、付加コマンド情報コードに対応する付加コマンド情報を識別して、第１のユーザ操作を、第２のモバイルデバイスを使用する第２のユーザに通知することを含む。
【００１７】
さらに、第１のモバイルデバイスに対するシングルステップ操作は、
第１のモバイルデバイスのスクリーンに対するシングルステップ操作、又は、
第１のモバイルデバイス本体に対するシングルステップ操作を含む。
【００１８】
本発明の実施例に係るモバイルデバイスのコミュニケーション方法によれば、コミュニケーション中において、第１のユーザ操作をセンシングすることで、第１のユーザ操作に対応する付加コマンド情報を取得し、付加コマンド情報を第２のモバイルデバイスに送信することにより、モバイルデバイスに対して音声制御操作又はシングルステップ操作を行うだけで、付加コマンド情報を取得することができ、ユーザが開く、選択、入力などをすることなく、操作が簡単であり、モバイルデバイスのコミュニケーションの効率を向上させることができる。予め格納された第１の付加コマンド情報と付加コマンド情報コードとの対応関係を照合することにより、付加コマンド情報を付加コマンド情報コードにより第２のモバイルデバイスに送信するため、実現方法が簡単であり、モバイルデバイスのコミュニケーションの効率をさらに向上させることができる。
【００１９】
本発明の実施例に係るモバイルデバイスのコミュニケーション方法は、携帯電話などの様々なモバイルデバイスに応用することができる。以下、携帯電話に応用されるチャットツールを例にしてさらに説明する。
【００２０】
実施例２
図２を参照すると、本発明の実施例に係るモバイルデバイスのコミュニケーション方法は、以下のステップを含む。
【００２１】
ステップ２０１：ユーザが携帯電話のチャットツールによりコミュニケーションを行う中に、音声制御操作及び第１のモバイルデバイスに対するシングルステップ操作のうちの少なくとも１つが含まれる第１のユーザ操作をセンシングすることで、当該第１のユーザ操作に対応する付加コマンド情報を取得する。
【００２２】
ここで、第１のモバイルデバイスに対するシングルステップ操作は、携帯電話のスクリーンをタップしたり、携帯電話のスクリーンをキスしたり、又は携帯電話本体を揺ることなどのような携帯電話のスクリーンに対するシングルステップ操作、又は携帯電話本体に対するシングルステップ操作を含む。当該第１のユーザ操作に対応する付加コマンド情報は、具体的に、各ユーザ操作に対応する付加コマンド情報（文字、エモーティコン又はピクチャなどを含む）を予め設定することができる。例えば、携帯電話のスクリーンをタップする動作に対応するドア（またはドアベル）をノックする音、携帯電話のスクリーンをキスする動作に対応するキスエモーティコン、携帯電話本体を揺る動作に対応する振動効果などを設定することができる。ユーザ操作と付加コマンド情報との対応関係を確立し、且つ、具体的にユーザ操作と付加コマンド情報との対応関係をテーブル又はデータセットなどの様々な形態で格納することができるが、これらに対して具体的に限定することではない。
【００２３】
なお、従来技術において、モバイルデバイスによりコミュニケーションを行う場合、文字、ピクチャ、エモーティコンなどのコミュニケーションを実現したければ、ユーザが開く、選択、入力などのマルチステップ操作を行う必要があるが、本発明の実施例において、ユーザは、スクリーンをタップしたり、スクリーンをキスしたりする又は携帯電話本体を揺るだけで、文字、ピクチャ、エモーティコンなどのコミュニケーションを実現する。従来技術と本発明の実施例におけるユーザのモバイルデバイスに対する操作を容易に区別するために、従来技術におけるモバイルデバイスに対する開く、選択、入力などの操作をモバイルデバイスに対するマルチステップ操作と呼び、本発明の実施例におけるモバイルデバイスに対する単一の操作をモバイルデバイスに対するシングルステップ操作と呼ぶ。
【００２４】
第１のユーザ操作をセンシングすることによる当該第１のユーザ操作に対応する付加コマンド情報の取得は、具体的に、マルチタッチ（Ｍｕｌｔｉ−Ｔｏｕｃｈ）、重力センシング、光センシング、エアフローセンシングなどの技術により実現することができる。例えば、マルチタッチ技術により携帯電話のスクリーンをタップする操作をセンシングしたり、エアフローセンシング技術により携帯電話のスクリーンをキスする操作をセンシングしたり、重力センシング技術により携帯電話本体を揺る操作をセンシングしたりすること等ができる。
【００２５】
ステップ２０２：予め格納された第１の付加コマンド情報と付加コマンド情報コードとの対応関係を照合して、当該付加コマンド情報に対応する付加コマンド情報コードを取得する。
【００２６】
具体的には、例えば、ドア（またはドアベル）をノックする音に対応するコードを１００１に、キスエモーティコンに対応するコードを１００２に設定するなどのように、各付加コマンド情報に対応する付加コマンド情報コードを予め設定することができる。付加コマンド情報と付加コマンド情報コードとの対応関係を確立し、且つ、具体的に付加コマンド情報と付加コマンド情報コードとの対応関係をテーブル又はデータセットなどの様々な形態で格納することができるが、これらに対して具体的に限定することではない。
【００２７】
なお、本発明の方法により取得された付加コマンド情報がエモーティコンである場合、従来のチャットツールにおけるエモーティコン（一般的なエモーティコンと呼ばれてもよい）と区別するために、本発明の方法により取得されたエモーティコン（特殊エモーティコンと呼ばれてもよい）のコードを従来のチャットツールにおけるエモーティコンのコードと一致しないように設定する。具体的には、１つの特殊エモーティコンフィールドを新たに定義することができ、従来の一般的なエモーティコンがバイト０ｘ１４を先頭とすると、特殊エモーティコンに対して１つの新しい先頭バイトを定義することができ、且つ１つの特殊エモーティコンとコードとの対応関係を確立し、１つの特殊エモーティコンのマーク先頭バイト（一般的に不可視の文字であり、ユーザが入力する時に同じバイトが発生しないことを確保する）を指定する。
【００２８】
なお、第１の付加コマンド情報と付加コマンド情報コードとの対応関係が第１のモバイルデバイスに直接的に格納されてもよく、サーバに格納されてもよく、これらに対して限定することではない。第１の付加コマンド情報と付加コマンド情報コードとの対応関係の格納位置により、必要に応じて、ローカルで予め格納された第１の付加コマンド情報と付加コマンド情報コードとの対応関係を照合して、前記付加コマンド情報に対応する付加コマンド情報コードを取得すること、又は、第１のサーバに予め格納された第１の付加コマンド情報と付加コマンド情報コードとの対応関係を照合して、前記付加コマンド情報に対応する付加コマンド情報コードを取得することなど、予め格納された第１の付加コマンド情報と付加コマンド情報コードとの対応関係を照合して、当該付加コマンド情報に対応する付加コマンド情報コードを取得する。
【００２９】
ステップ２０３：当該付加コマンド情報に対応する付加コマンド情報コードを第２のモバイルデバイスに送信する。
【００３０】
具体的には、１つのモバイルデバイスに送信するものに限定されることではなく、複数のモバイルデバイスに送信することもできる。
【００３１】
なお、当該方法は、当該付加コマンド情報に対応する付加コマンド情報コードを第２のモバイルデバイスに送信した後、さらに、
第２のモバイルデバイスが、当該付加コマンド情報に対応する付加コマンド情報コードを受信することと、
第２のモバイルデバイスが、予め格納された第２の付加コマンド情報と付加コマンド情報コードとの対応関係を照合して、当該付加コマンド情報コードに対応する付加コマンド情報を取得する、ことと、
第２のモバイルデバイスが、当該付加コマンド情報コードに対応する付加コマンド情報を識別して、第１のユーザ操作を、第２のモバイルデバイスを使用する第２のユーザに通知することとを含む。
【００３２】
なお、第２の付加コマンド情報と付加コマンド情報コードとの対応関係は、第２のモバイルデバイスに直接的に格納されてもよく、サーバに格納されてもよい。第１の付加コマンド情報と付加コマンド情報コードとの対応関係と、第２の付加コマンド情報と付加コマンド情報コードとの対応関係がいずれも同じサーバに格納される場合、第２の付加コマンド情報と付加コマンド情報コードとの対応関係を設定しなく、第１の付加コマンド情報と付加コマンド情報コードとの対応関係をそのまま利用することができる。従って、必要に応じて、前記第２のデバイスがローカルで予め格納された第２の付加コマンド情報と付加コマンド情報コードとの対応関係を照合して、前記付加コマンド情報コードに対応する付加コマンド情報を取得すること、又は、前記第２のデバイスが第２のサーバに予め格納された第２の付加コマンド情報と付加コマンド情報コードとの対応関係を照合して、前記付加コマンド情報コードに対応する付加コマンド情報を取得することなど、第２のモバイルデバイスが予め格納された第２の付加コマンド情報と付加コマンド情報コードとの対応関係を照合して、前記付加コマンド情報コードに対応する付加コマンド情報を取得する。ここで、第１のサーバと第２のサーバは、同一のサーバであってもよく、異なるサーバであってもよく、これらに対して本実施例で具体的に限定しない。
【００３３】
なお、当該付加コマンド情報に対応する付加コマンド情報コードの第２のデバイスへの送信は、具体的に、
当該付加コマンド情報に対応する付加コマンド情報コードをサーバに送信し、サーバが付加コマンド情報コードを第２のモバイルデバイスに送信することであってもよい。
また、当該付加コマンド情報に対応する付加コマンド情報コードをサーバに送信した後、サーバは、付加コマンド情報コードを、サーバにより統一された付加コマンド情報コード番号に変換させて、サーバが再び統一された付加コマンド情報コード番号を第２のモバイルデバイスに送信することができる。それに応じて、第２のモバイルデバイスは、統一された付加コマンド情報コード番号を受信した後、予め格納された付加コマンド情報と統一された付加コマンド情報コード番号を照合して、付加コマンド情報を取得する必要がある。
【００３４】
本発明の実施例に係るモバイルデバイスのコミュニケーション方法は、コミュニケーション中において、第１のユーザ操作をセンシングすることで、第１のユーザ操作に対応する付加コマンド情報を取得し、付加コマンド情報を第２のモバイルデバイスに送信することにより、モバイルデバイスに対して音声制御操作又はシングルステップ操作を行うだけで、付加コマンド情報を取得することができ、ユーザが開く、選択、入力などをすることなく、操作が簡単であり、モバイルデバイスのコミュニケーションの効率を向上させることができる。予め格納された第１の付加コマンド情報と付加コマンド情報コードとの対応関係を照合することにより、付加コマンド情報を付加コマンド情報コードにより第２のモバイルデバイスに送信するため、実現方法が簡単で、モバイルデバイスのコミュニケーションの効率をさらに向上させることができる。
【００３５】
実施例３
図３を参照すると、本発明の実施例に係るモバイルデバイスのコミュニケーション装置は、
コミュニケーション中において、音声制御操作及び第１のモバイルデバイスに対するシングルステップ操作のうちの少なくとも１つが含まれる第１のユーザ操作をセンシングして、第１のユーザ操作に対応する付加コマンド情報を取得するための取得モジュール３０１と、
取得モジュール３０１が第１のユーザ操作に対応する付加コマンド情報を取得した後、第２のモバイルデバイスが付加コマンド情報を識別して、第１のユーザ操作を第２のモバイルデバイスを使用する第２のユーザに通知するように、付加コマンド情報を第２のモバイルデバイスに送信するための送信モジュール３０２とを含む。
【００３６】
さらに、送信モジュール３０２は、
取得モジュール３０１が第１のユーザ操作に対応する付加コマンド情報を取得した後、予め格納された第１の付加コマンド情報と付加コマンド情報コードとの対応関係を照合して、付加コマンド情報に対応する付加コマンド情報コードを取得するための第１の照合ユニットと、
第１の照合ユニットが付加コマンド情報に対応する付加コマンド情報コードを取得した後、第２のモバイルデバイスが付加コマンド情報コードを受信し、予め格納された第２の付加コマンド情報と付加コマンド情報コードとの対応関係を照合して、付加コマンド情報コードに対応する付加コマンド情報を取得し、付加コマンド情報コードに対応する付加コマンド情報を識別して、第１のユーザ操作を、第２のモバイルデバイスを使用する第２のユーザに通知するように、付加コマンド情報コードを第２のモバイルデバイスに送信するための送信ユニットとを含む。
【００３７】
さらに、第１のモバイルデバイスに対するシングルステップ操作は、
第１のモバイルデバイスのスクリーンに対するシングルステップ操作、又は、
第１のモバイルデバイス本体に対するシングルステップ操作を含む。
【００３８】
本発明の実施例に係るモバイルデバイスのコミュニケーション装置は、コミュニケーション中において、第１のユーザ操作をセンシングすることで、第１のユーザ操作に対応する付加コマンド情報を取得し、付加コマンド情報を第２のモバイルデバイスに送信することにより、モバイルデバイスに対して音声制御操作又はシングルステップ操作を行うだけで、付加コマンド情報を取得することができ、ユーザが開く、選択、入力などをすることなく、操作が簡単であり、モバイルデバイスのコミュニケーションの効率を向上させることができる。予め格納された第１の付加コマンド情報と付加コマンド情報コードとの対応関係を照合することで、付加コマンド情報を付加コマンド情報コードにより第２のモバイルデバイスに送信するため、実現方法が簡単であり、モバイルデバイスのコミュニケーションの効率をさらに向上させることができる。
【００３９】
実施例４
図４を参照すると、本発明の実施例に係るモバイルデバイスのコミュニケーションシステムは、第１のモバイルデバイス４０と第２のモバイルデバイス５０とを備える。
【００４０】
第１のモバイルデバイス４０は、
コミュニケーション中において、音声制御操作及び第１のモバイルデバイスに対するシングルステップ操作のうちの少なくとも１つが含まれる第１のユーザ操作をセンシングすることで、第１のユーザ操作に対応する付加コマンド情報を取得するための取得モジュールと、
取得モジュールが第１のユーザ操作に対応する付加コマンド情報を受信した後、付加コマンド情報を第２のモバイルデバイスに送信するための送信モジュールとを含む。
【００４１】
第２のモバイルデバイス５０は、
送信モジュールから送信された付加コマンド情報を受信し、付加コマンド情報を識別して第１のユーザ操作を第２のモバイルデバイスを使用する第２のユーザに通知するための処理モジュールを含む。
【００４２】
さらに、送信モジュールは、
取得モジュールが第１のユーザ操作に対応する付加コマンド情報を取得した後、予め格納された第１の付加コマンド情報と付加コマンド情報コードとの対応関係を照合して、付加コマンド情報に対応する付加コマンド情報コードを取得するための第１の照合ユニットと、
第１の照合ユニットが付加コマンド情報に対応する付加コマンド情報コードを取得した後、付加コマンド情報コードを第２のモバイルデバイスに送信するための送信ユニットとを含む。
【００４３】
それに応じて、処理モジュールは、
送信ユニットから送信された付加コマンド情報コードを受信するための受信ユニットと、
受信ユニットが送信ユニットから送信された付加コマンド情報コードを受信した後、予め格納された第２の付加コマンド情報と付加コマンド情報コードとの対応関係を照合して、付加コマンド情報コードに対応する付加コマンド情報を取得するための第２の照合ユニットと、
第２の照合ユニットが付加コマンド情報コードに対応する付加コマンド情報を取得した後、付加コマンド情報コードに対応する付加コマンド情報を識別して、第１のユーザ操作を第２のモバイルデバイスを使用する第２のユーザに通知するための処理ユニットとを含む。
【００４４】
本発明の実施例に係るモバイルデバイスのコミュニケーションシステムは、コミュニケーション中において、第１のユーザ操作をセンシングすることで、第１のユーザ操作に対応する付加コマンド情報を取得し、付加コマンド情報を第２のモバイルデバイスに送信することによりモバイルデバイスに対して音声制御操作又はシングルステップ操作を行うだけで、付加コマンド情報を取得することができ、ユーザが開く、選択、入力などをすることなく、操作が簡単であり、モバイルデバイスのコミュニケーションの効率を向上させることができる。予め格納された第１の付加コマンド情報と付加コマンド情報コードとの対応関係を照合することで、付加コマンド情報を付加コマンド情報コードにより第２のモバイルデバイスに送信するため、実現方法が簡単で、モバイルデバイスのコミュニケーションの効率をさらに向上させることができる。
【００４５】
上記の実施例に係る技術案の全部または一部の内容は、ソフトウェアプログラミングにより実現することができ、そのソフトウェアプログラムは、例えば、コンピュータにおけるハードディスク、光ディスク又はフロッピー(登録商標)ディスクのような読み取り可能な記憶媒体に記憶される。
【００４６】
以上は、本発明の好適な実施例に過ぎなく、本発明を限定するものではない。本発明の精神と原則から逸脱しない範囲内でのいかなる修正、均等な要素の切替、改良等は、本発明の保護範囲以内に含まれるべきである。
【図１】
0006027235.tif 000002
【図２】
0006027235.tif 000003
【図３】
0006027235.tif 000004
【図４】
0006027235.tif 000005